【手続補正書】
【提出日】平成19年12月3日(2007.12.3)
【手続補正１】
【補正対象書類名】明細書
【補正対象項目名】特許請求の範囲
【補正方法】変更
【補正の内容】
【特許請求の範囲】
【請求項１】
確立されたルートを介して送信元ノードから宛先ノードへとデータパケットが送信されるアドホック・ネットワークにおける送信元ノードであって、
前記送信元ノードと前記宛先ノードとの間の既存のネットワークコネクション上でのルート探索を要求するルート探索要求手段と、
前記送信元ノードと前記宛先ノードとの間の既存のネットワークコネクション上でのルート探索処理が失敗したかどうかを判定する判定手段と、
前記送信元ノードと前記宛先ノードとの間の既存のネットワークコネクション上でのルート探索処理が失敗したと判定されると、一以上の新規のネットワークコネクションを形成することにより、前記送信元ノードと前記宛先ノードとの間にルートを確立するコネクション確立手段と
を含む送信元ノード。
【請求項２】
前記判定手段は、さらに、
前記送信元ノードが、一以上の既存のサブネットワークのメンバーであるときは、前記一以上の既存サブネットワークにおける一以上のコネクションを介し、前記送信元ノードと前記宛先ノードとの間のルートを探索するためのルート探索要求メッセージをブロードキャストするブロードキャスト手段をさらに含む請求項１に記載の送信元ノード。
【請求項３】
前記判定手段は、
前記ブロードキャストされたルート探索要求メッセージに対する応答として前記送信元ノードによって適時の応答メッセージが受信されたかどうかを判定する手段をさらに含む請求項２に記載の送信元ノード。
【請求項４】
前記コネクション確立手段は、
前記適時の応答メッセージが受信されなかったと判定されると、一以上の新規に形成されたサブネットワークにおける一以上の新規なコネクションを介して、前記送信元ノードと宛先ノードとの間にルートを確立する手段をさらに含む送信元ノード。
【請求項５】
確立されたルートを介して送信元ノードから宛先ノードへとデータパケットが送信されるアドホック・ネットワークのシステムであって、
送信元ノードと、
少なくとも1つの宛先ノードと、
を含み、
前記送信元ノードは、さらに、
前記送信元ノードと前記宛先ノードとの間の既存のネットワークコネクション上でのルート探索を要求するルート探索要求手段と、
前記送信元ノードと前記宛先ノードとの間の既存のネットワークコネクション上でのルート探索処理が失敗したかどうかを判定する判定手段と、
前記送信元ノードと前記宛先ノードとの間の既存のネットワークコネクション上でのルート探索処理が失敗したと判定されると、一以上の新規のネットワークコネクションを形成することにより、前記送信元ノードと前記宛先ノードとの間にルートを確立するコネクション確立手段と
を含むシステム。
【請求項６】
前記判定手段は、
前記ルート探索要求に対する応答として前記送信元ノードが適時の応答メッセージを受信したかどうかを判定する手段をさらに含む請求項５に記載のシステム。
【請求項７】
前記アドホック・ネットワークは、Ｂｌｕｅｔｏｏｔｈ技術を基礎としたネットワークである請求項５に記載のシステム。
【請求項８】
アドホック・ネットワークにおいて、送信元ノードから宛先ノードへと送信されるデータパケットのルートを確立するシステムであって、
１つ以上のサブネットワークを介して相互に通信する複数のノードと、
送信元ノードと、
宛先ノードと
を含み、
前記送信元ノードは、さらに、
前記送信元ノードが、一以上の既存のサブネットワークのメンバーであるときは、前記一以上の既存サブネットワークにおける一以上のコネクションを介し、前記送信元ノードと前記宛先ノードとの間のルートを探索するためのルート探索要求メッセージをブロードキャストするブロードキャスト手段と、
前記ブロードキャストされたルート探索要求メッセージに対する応答として前記送信元ノードによって適時の応答メッセージが受信されたかどうかを判定する手段と、
前記適時の応答メッセージが受信されなかったと判定されると、一以上の新規に形成されたサブネットワークにおける一以上の新規なコネクションを介して、前記送信元ノードと宛先ノードとの間にルートを確立する手段と
を含むシステム。
【請求項９】
前記送信元ノードが、前記一以上の既存のサブネットワークのメンバーでない場合に、一以上の新規に形成されたサブネットワークにおける一以上の新規なコネクションを介して、前記送信元ノードと前記宛先ノードとの間にルートを確立する手段をさらに含む請求項８に記載のシステム。
【請求項１０】
前記宛先ノードが、前記一以上の既存のサブネットワークのメンバーでない場合に、一以上の新規に形成されたサブネットワークにおける一以上の新規なコネクションを介して、前記送信元ノードと前記宛先ノードとの間にルートを確立する手段をさらに含む請求項８に記載のシステム。
【請求項１１】
前記ルート探索要求メッセージに対する適時の応答が前記送信元ノードによって受信された場合に、一以上の新規に形成されたサブネットワークにおける一以上の新規なコネクションを介した前記送信元ノードと前記宛先ノードとの間のルートが好ましいルートであるかどうかを判定する手段をさらに含む請求項８に記載のシステム。
【請求項１２】
前記適時の応答メッセージが受信されたと判定され、かつ、一以上の新規に形成されたサブネットワークにおける一以上の新規なコネクションを介した前記送信元ノードと前記宛先ノードとの間のルートが好ましくないルートであると判定された場合に、一以上の新規に形成されたサブネットワークにおける一以上の新規なコネクションを介して、前記送信元ノードと前記宛先ノードとの間にルートを確立する手段をさらに含む請求項１１に記載のシステム。
【請求項１３】
前記適時の応答メッセージが受信されたと判定され、かつ、一以上の新規に形成されたサブネットワークにおける一以上の新規なコネクションを介した前記送信元ノードと前記宛先ノードとの間のルートが好ましいルーであると判定された場合に、一以上の新規に形成されたサブネットワークにおける一以上の新規なコネクションを介して、前記送信元ノードと前記宛先ノードとの間にルートを確立するとともに、一以上の新規に形成されたサブネットワークにおける一以上の新規なコネクションを介した前記送信元ノードと前記宛先ノードとの間のルートを探索するためのルート探索処理を開始する手段をさらに含む請求項１１に記載のシステム。
【請求項１４】
前記アドホック型の無線通信ネットワークは、Ｂｌｕｅｔｏｏｔｈ技術を基礎としたネットワークである請求項８に記載のシステム。
【請求項１５】
前記既存のサブネットワーク及び新規に形成されたサブネットワークはピコネットであることを特徴とする請求項１４に記載のシステム。
【手続補正２】
【補正対象書類名】明細書
【補正対象項目名】００２２
【補正方法】変更
【補正の内容】
【００２２】
発信元ノードから宛先ノードへのルートを確立するためには、典型的に、発信元ノードが、記述されている宛先へのルートを要求するＲＥＱＵＥＳＴ（要求）メッセージをブロードキャスト（放送）することになる。一定の範囲内にあるすべてのノードがＲＥＱＵＥＳＴメッセージを受信する。このＲＥＱＵＥＳＴメッセージを、宛先ノードへの有効なルート上のノード及び宛先ノードのどちらでもない他のノードが受信すると、ＲＥＱＵＥＳＴメッセージを近隣のノードへと再放送する。宛先ノード又は宛先ノードへの有効なルート上のノードのどちらかがこのＲＥＱＵＥＳＴメッセージを受信すると、ＲＥＱＵＥＳＴメッセージを再放送しないことにより、ネットワークへの氾濫を制限し、ユニキャストＲＥＰＬＹ（返答）メッセージを送信元のノードへと送信し返す。